(57)【特許請求の範囲】
【請求項１】
本体を含み、
前記本体が地面に固定的に装着され、前記本体の中には回転溝が形成され、前記回転溝の下端壁の中には固定歯車が固定的に設置され、前記回転溝の中には角度調整装置が回転可能に装着され、前記角度調整装置は角度調整ブロックを含み、前記角度調整ブロックの上端には装着ブロックが固定的に設置され、前記装着ブロックの中にはソーラーパネルが装着され、前記角度調整ブロックは回転することで前記ソーラーパネルの角度を調整して前記ソーラーパネルを太陽光の照射角度と相対させることができるため、太陽光の変換量が増加し、前記ソーラーパネルの下側には蓄電池が装着され、前記蓄電池は前記ソーラーパネルと通電可能に接続され、前記ソーラーパネルはソーラーエネルギーを電気エネルギーに変換して前記蓄電池の中に貯蔵し、
前記ソーラーパネルには収縮溝が前後対称になるように形成され、前記収縮溝の中央には限定装置が設置され、前記限定装置は回転可能な限定板を含み、前記ソーラーパネルの左右側には保護装置が対称になるように設置され、前記保護装置は左右対称となり且つ回転できる保護板を含み、前記保護板において対称中心に近接した端面にはレフレクターが装着され、前記レフレクターは太陽光を前記ソーラーパネルに集光することで太陽光の変換率を向上させ、前記レフレクターの前後側には挿入板が装着され、前記挿入板が回転して前記収縮溝の中に至ると、前記限定装置が作動し、且つ前記挿入板と前記保護板で前記ソーラーパネルを包むことで保護作用を果たし、前記ソーラーパネルの前側には動力装置が設置され、前記動力装置は前記保護板の回転に動力を提供することを特徴とする保護機能付きの太陽光発電装置。
【請求項２】
前記角度調整装置は角度調整軸を含み、
前記角度調整軸が前記回転溝の中に回転可能に装着され、前記角度調整ブロックが前記角度調整軸に固定的に装着され、前記角度調整ブロックの中には噛合回転溝が形成され、前記噛合回転溝の後端壁には回転モータが固定的に設置され、前記回転モータの前端には回転軸が伝動可能に装着され、前記回転軸には噛合歯車が固定的に設置され、前記噛合歯車と前記固定歯車とは噛み合っていることを特徴とする請求項１に記載の保護機能付きの太陽光発電装置。
【請求項３】
前記限定装置は限定回転溝を含み、
前記限定回転溝が前記収縮溝と連通し、前記限定回転溝の中には限定回転軸が回転可能に装着され、前記限定回転軸には捻じりばねが固定的に設置され、前記限定板が前記限定回転軸に固定的に装着され、前記限定板の中には引っ掛かり溝が形成され、
前記限定回転溝において対称中心に近接した端壁には圧迫スライド溝が前記限定回転溝と連通になるように形成され、前記圧迫スライド溝の中には圧迫スライダがスライド可能に設置され、前記圧迫スライダにおいて対称中心から離れた端は斜面であり、前記圧迫スライダにおいて対称中心に近接した端と前記圧迫スライド溝とは圧力ばねによって固定的に連結され、前記圧迫スライダの中には当接溝が形成され、前記圧迫スライド溝の右端壁の中には連結スライド溝が前記圧迫スライド溝と連通になるように形成され、前記連結スライド溝の中には連結スライダがスライド可能に設置され、前記連結スライダの左端は斜面であり、且つ前記当接溝と当接し、前記連結スライダの右端には復帰ばねが固定的に設置され、前記連結スライド溝の後側には連結空間が前記連結スライド溝と連通になるように設置され、前記連結空間の中には連結棒がスライド可能に設置され、前記連結棒において前記連結スライド溝に近接した端は前記連結スライダと固定的に連結され、前記連結棒の他端には引っ掛かりブロックが固定的に設置され、前記引っ掛かりブロックの左端は前記引っ掛かり溝の中に延在することで前記限定板をロックできることを特徴とする請求項１に記載の保護機能付きの太陽光発電装置。
【請求項４】
前記限定板において対称中心に近接した端面には緩衝パッドが固定的に設置されていることを特徴とする請求項３に記載の保護機能付きの太陽光発電装置。
【請求項５】
前記保護装置は前後対称となった固定ブロックを含み、
前記固定ブロックの間には保護回転軸が回転可能に装着され、前記保護板が前記保護回転軸に固定的に装着され、前側の前記固定ブロックの中には調整回転空間が設置され、前記保護回転軸は前端が前記調整回転空間の中に延在し、且つ前端にウォームホイールが固定的に設置され、前記ウォームホイールにおいて対称中心に近接した端にはウォームが噛み合い、前記ウォームの中央にはウォーム軸が固定的に設置されていることを特徴とする請求項１に記載の保護機能付きの太陽光発電装置。
【請求項６】
前記動力装置は供給空間を含み、
前記供給空間の左端壁には油圧シリンダーが装着され、前記油圧シリンダーの右端には伸縮軸が伝動可能に装着され、前記伸縮軸は右端が前記供給空間の中に延在し、前記伸縮軸の右端には移動ブロックが固定的に設置され、前記移動ブロックの中には駆動モータが固定的に設置され、前記駆動モータには駆動軸が伝動可能に装着され、前記駆動軸には駆動歯車が固定的に設置され、前記駆動歯車の左側には前記駆動歯車と噛み合える回転歯車が設置され、前記回転歯車は前記ウォーム軸の下端と固定的に連結され、前記駆動歯車の右側には前記駆動歯車と噛み合える伝動歯車が設置され、前記伝動歯車の中央には伝動軸が固定的に設置され、
前記供給空間の下側には伝動空間が設置され、前記伝動軸と右側の前記ウォーム軸の下端とはいずれも前記伝動空間の中に延在し、且つ前記伝動軸と前記ウォーム軸とは伝動ベルトによって伝動可能に連結されていることを特徴とする請求項５に記載の保護機能付きの太陽光発電装置。
【発明の詳細な説明】
【技術分野】
【０００１】
本願発明は太陽光発電技術分野に関し、具体的には保護機能付きの太陽光発電装置である。
【背景技術】
【０００２】
従来の太陽光発電装置では、ソーラーパネルの設置角度を調整できないため、実際の太陽の照射角度に応じて変換率を向上させることは不可能である。また、ソーラーパネルは太陽光に頼るため、太陽光が弱い場合や太陽光の照射角度がずれる場合になると、太陽光に対する利用率が低くなる。そのほか、ソーラーパネルは通常、ソーラーエネルギーの吸収を促進するために高い位置に設置され、悪天候ではソーラーパネルが損傷し、寿命が短くなる。本願発明は上記の問題を解決できる装置である。
【先行技術文献】
【特許文献】
【０００３】
【特許文献１】中国特許出願公開第１０８９２３７４１号明細書
【発明の概要】
【発明が解決しようとする課題】
【０００４】
従来の太陽光発電装置は変換率が低く、ソーラーパネルに保護装置を設置していないため、悪天候ではソーラーパネルが損傷しやすい。
【課題を解決するための手段】
【０００５】
上記の問題を解決するために、本願は保護機能付きの太陽光発電装置を設計し、本願に記載の保護機能付きの太陽光発電装置は、本体を含み、前記本体が地面に固定的に装着され、前記本体の中には回転溝が形成され、前記回転溝の下端壁の中には固定歯車が固定的に設置され、前記回転溝の中には角度調整装置が回転可能に装着され、前記角度調整装置は角度調整ブロックを含み、前記角度調整ブロックの上端には装着ブロックが固定的に設置され、前記装着ブロックの中にはソーラーパネルが装着され、前記角度調整ブロックは回転することで前記ソーラーパネルの角度を調整して前記ソーラーパネルを太陽光の照射角度と相対させることができるため、太陽光の変換量が増加し、前記ソーラーパネルの下側には蓄電池が装着され、前記蓄電池は前記ソーラーパネルと通電可能に接続され、前記ソーラーパネルはソーラーエネルギーを電気エネルギーに変換して前記蓄電池の中に貯蔵し、前記ソーラーパネルには収縮溝が前後対称になるように形成され、前記収縮溝の中央には限定装置が設置され、前記限定装置は回転可能な限定板を含み、前記ソーラーパネルの左右側には保護装置が対称になるように設置され、前記保護装置は左右対称となり且つ回転できる保護板を含み、前記保護板において対称中心に近接した端面にはレフレクターが装着され、前記レフレクターは太陽光を前記ソーラーパネルに集光することで太陽光の変換率を向上させ、前記レフレクターの前後側には挿入板が装着され、前記挿入板が回転して前記収縮溝の中に至ると、前記限定装置が作動し、且つ前記挿入板と前記保護板で前記ソーラーパネルを包むことで保護作用を果たし、前記ソーラーパネルの前側には動力装置が設置され、前記動力装置は前記保護板の回転に動力を提供する。
【０００６】
前記角度調整装置は角度調整軸を含み、前記角度調整軸が前記回転溝の中に回転可能に装着され、前記角度調整ブロックが前記角度調整軸に固定的に装着され、前記角度調整ブロックの中には噛合回転溝が形成され、前記噛合回転溝の後端壁には回転モータが固定的に設置され、前記回転モータの前端には回転軸が伝動可能に装着され、前記回転軸には噛合歯車が固定的に設置され、前記噛合歯車と前記固定歯車とは噛み合っており、
前記回転モータが作動すると、前記噛合歯車を回転させ、前記固定歯車が動かないため、前記角度調整ブロックが回転し、さらに前記ソーラーパネルの傾斜角度を調整する。
【０００７】
前記限定装置は限定回転溝を含み、前記限定回転溝が前記収縮溝と連通し、前記限定回転溝の中には限定回転軸が回転可能に装着され、前記限定回転軸には捻じりばねが固定的に設置され、前記限定板が前記限定回転軸に固定的に装着され、前記限定板の中には引っ掛かり溝が形成され、前記限定回転溝において対称中心に近接した端壁には圧迫スライド溝が前記限定回転溝と連通になるように形成され、前記圧迫スライド溝の中には圧迫スライダがスライド可能に設置され、前記圧迫スライダにおいて対称中心から離れた端は斜面であり、前記圧迫スライダにおいて対称中心に近接した端と前記圧迫スライド溝とは圧力ばねによって固定的に連結され、前記圧迫スライダの中には当接溝が形成され、前記圧迫スライド溝の右端壁の中には連結スライド溝が前記圧迫スライド溝と連通になるように形成され、前記連結スライド溝の中には連結スライダがスライド可能に設置され、前記連結スライダの左端は斜面であり、且つ前記当接溝と当接し、前記連結スライダの右端には復帰ばねが固定的に設置され、前記連結スライド溝の後側には連結空間が前記連結スライド溝と連通になるように設置され、前記連結空間の中には連結棒がスライド可能に設置され、前記連結棒において前記連結スライド溝に近接した端は前記連結スライダと固定的に連結され、前記連結棒の他端には引っ掛かりブロックが固定的に設置され、前記引っ掛かりブロックの左端は前記引っ掛かり溝の中に延在することで前記限定板をロックでき、
前記挿入板が前記収縮溝の中に回転すると前記圧迫スライダを押して対向移動させ、さらに前記引っ掛かりブロックを右方へ移動させて前記引っ掛かりブロックから離脱させ、そして前記限定板が前記捻じりばねの弾性復元力により対向回転し、さらに左右の前記保護板を一体に装着することで前記ソーラーパネルを保護し、且つ前記ソーラーパネルを安定に装着する。
【０００８】
好ましくは、前記限定板において対称中心に近接した端面には緩衝パッドが固定的に設置され、前記緩衝パッドは前記保護板を保護するほか、滑り止め機能も付いている。
【０００９】
前記保護装置は前後対称となった固定ブロックを含み、前記固定ブロックの間には保護回転軸が回転可能に装着され、前記保護板が前記保護回転軸に固定的に装着され、前側の前記固定ブロックの中には調整回転空間が設置され、前記保護回転軸は前端が前記調整回転空間の中に延在し、且つ前端にウォームホイールが固定的に設置され、前記ウォームホイールにおいて対称中心に近接した端にはウォームが噛み合い、前記ウォームの中央にはウォーム軸が固定的に設置され、
前記保護板が回転すると、前記レフレクターは角度が調整され、集光度を最大にし、また、前記保護板は対向回転して当接することで前記ソーラーパネルを保護できる。
【００１０】
前記動力装置は供給空間を含み、前記供給空間の左端壁には油圧シリンダーが装着され、前記油圧シリンダーの右端には伸縮軸が伝動可能に装着され、前記伸縮軸は右端が前記供給空間の中に延在し、前記伸縮軸の右端には移動ブロックが固定的に設置され、前記移動ブロックの中には駆動モータが固定的に設置され、前記駆動モータには駆動軸が伝動可能に装着され、前記駆動軸には駆動歯車が固定的に設置され、前記駆動歯車の左側には前記駆動歯車と噛み合える回転歯車が設置され、前記回転歯車は前記ウォーム軸の下端と固定的に連結され、前記駆動歯車の右側には前記駆動歯車と噛み合える伝動歯車が設置され、前記伝動歯車の中央には伝動軸が固定的に設置され、前記供給空間の下側には伝動空間が設置され、前記伝動軸と右側の前記ウォーム軸の下端とはいずれも前記伝動空間の中に延在し、且つ前記伝動軸と前記ウォーム軸とは伝動ベルトによって伝動可能に連結され、
前記駆動歯車と前記回転歯車とが噛み合うと、前記駆動モータが作動し、左側の前記保護板の回転に動力を提供し、前記駆動歯車と前記伝動歯車とが噛み合うと、前記駆動モータが作動し、右側の前記保護板の回転に動力を提供する。
【発明の効果】
【００１１】
本願発明の効果は：本願に記載の保護機能付きの太陽光発電装置は、太陽光の照射角度に応じてソーラーパネルの設置角度を調整できるため、ソーラーエネルギーの変換率を向上させられ、また、本願発明に左右二つのレフレクターがあり、レフレクターの相互作用により、太陽光をソーラーパネルに集めることでソーラーパネルはソーラーエネルギーに対する吸収が増加し、即ち本願発明は太陽光が弱いときに光電変換率を高めることができる。そのほか、保護板の回転でレフレクターの角度を調整して集光度を向上させることができ、且つ保護板は悪天候時にソーラーパネルを包むことでソーラーパネルを保護でき、ソーラーパネルの寿命が延ばされる。
【図面の簡単な説明】
【００１２】
下記に図１〜７をあわせて本発明について詳しく説明し、便利に説明するために、下記の方向を以下のように規定する：図１は本発明装置の正面図であり、本願に記載の各方向が、図１と同じ向きに装置を見た際の方向である。
【００１３】
【図１】図１は本願発明の全体構成概略図
【図２】図２は図１におけるＡ―Ａ方向からの構成概略図
【図３】図３は図１におけるＢ―Ｂ方向からの構成概略図
【図４】図４は図３におけるＣ―Ｃ方向からの構成概略図
【図５】図５は図４におけるＤ―Ｄ方向からの構成概略図
【図６】図６は図５におけるＥ―Ｅ方向からの構成概略図
【図７】図７は図３におけるＦ―Ｆ方向からの構成概略図
【発明を実施するための形態】
【００１４】
本願発明は保護機能付きの太陽光発電装置を取り上げ、主に太陽光発電に応用され、以下に図面を合わせて本願発明について詳しく説明を行う。
【００１５】
本願に記載の保護機能付きの太陽光発電装置は、本体１０を含み、前記本体１０が地面に固定的に装着され、前記本体１０の中には回転溝１２が形成され、前記回転溝１２の下端壁の中には固定歯車１１が固定的に設置され、前記回転溝１２の中には角度調整装置６０１が回転可能に装着され、前記角度調整装置６０１は角度調整ブロック１４を含み、前記角度調整ブロック１４の上端には装着ブロック１８が固定的に設置され、前記装着ブロック１８の中にはソーラーパネル２１が装着され、前記角度調整ブロック１４は回転することで前記ソーラーパネル２１の角度を調整して前記ソーラーパネル２１を太陽光の照射角度と相対させることができるため、太陽光の変換量が増加し、前記ソーラーパネル２１の下側には蓄電池２０が装着され、前記蓄電池２０は前記ソーラーパネル２１と通電可能に接続され、前記ソーラーパネル２１はソーラーエネルギーを電気エネルギーに変換して前記蓄電池２０の中に貯蔵し、前記ソーラーパネル２１には収縮溝２２が前後対称になるように形成され、前記収縮溝２２の中央には限定装置６０２が設置され、前記限定装置６０２は回転可能な限定板４６を含み、前記ソーラーパネル２１の左右側には保護装置６０３が対称になるように設置され、前記保護装置６０３は左右対称となり且つ回転できる保護板２９を含み、前記保護板２９において対称中心に近接した端面にはレフレクター３１が装着され、前記レフレクター３１は太陽光を前記ソーラーパネル２１に集光することで太陽光の変換率を向上させ、前記レフレクター３１の前後側には挿入板３０が装着され、前記挿入板３０が回転して前記収縮溝２２の中に至ると、前記限定装置６０２が作動し、且つ前記挿入板３０と前記保護板２９で前記ソーラーパネル２１を包むことで保護作用を果たし、前記ソーラーパネル２１の前側には動力装置６０４が設置され、前記動力装置６０４は前記保護板２９の回転に動力を提供する。
【００１６】
前記角度調整装置６０１は角度調整軸１３を含み、前記角度調整軸１３が前記回転溝１２の中に回転可能に装着され、前記角度調整ブロック１４が前記角度調整軸１３に固定的に装着され、前記角度調整ブロック１４の中には噛合回転溝１５が形成され、前記噛合回転溝１５の後端壁には回転モータ１７が固定的に設置され、前記回転モータ１７の前端には回転軸１６が伝動可能に装着され、前記回転軸１６には噛合歯車１９が固定的に設置され、前記噛合歯車１９と前記固定歯車１１とは噛み合っており、
前記回転モータ１７が作動すると、前記噛合歯車１９を回転させ、前記固定歯車１１が動かないため、前記角度調整ブロック１４が回転し、さらに前記ソーラーパネル２１の傾斜角度を調整する。
【００１７】
前記限定装置６０２は限定回転溝４４を含み、前記限定回転溝４４が前記収縮溝２２と連通し、前記限定回転溝４４の中には限定回転軸４５が回転可能に装着され、前記限定回転軸４５には捻じりばね６０が固定的に設置され、前記限定板４６が前記限定回転軸４５に固定的に装着され、前記限定板４６の中には引っ掛かり溝４８が形成され、前記限定回転溝４４において対称中心に近接した端壁には圧迫スライド溝５０が前記限定回転溝４４と連通になるように形成され、前記圧迫スライド溝５０の中には圧迫スライダ５１がスライド可能に設置され、前記圧迫スライダ５１において対称中心から離れた端は斜面であり、前記圧迫スライダ５１において対称中心に近接した端と前記圧迫スライド溝５０とは圧力ばね５２によって固定的に連結され、前記圧迫スライダ５１の中には当接溝５３が形成され、前記圧迫スライド溝５０の右端壁の中には連結スライド溝５５が前記圧迫スライド溝５０と連通になるように形成され、前記連結スライド溝５５の中には連結スライダ５４がスライド可能に設置され、前記連結スライダ５４の左端は斜面であり、且つ前記当接溝５３と当接し、前記連結スライダ５４の右端には復帰ばね５６が固定的に設置され、前記連結スライド溝５５の後側には連結空間５７が前記連結スライド溝５５と連通になるように設置され、前記連結空間５７の中には連結棒５８がスライド可能に設置され、前記連結棒５８において前記連結スライド溝５５に近接した端は前記連結スライダ５４と固定的に連結され、前記連結棒５８の他端には引っ掛かりブロック４９が固定的に設置され、前記引っ掛かりブロック４９の左端は前記引っ掛かり溝４８の中に延在することで前記限定板４６をロックでき、
前記挿入板３０が前記収縮溝２２の中に回転すると前記圧迫スライダ５１を押して対向移動させ、さらに前記引っ掛かりブロック４９を右方へ移動させて前記引っ掛かりブロック４９から離脱させ、そして前記限定板４６が前記捻じりばね６０の弾性復元力により対向回転し、さらに左右の前記保護板２９を一体に装着することで前記ソーラーパネル２１を保護し、且つ前記ソーラーパネル２１を安定に装着する。
【００１８】
有益的には、前記限定板４６において対称中心に近接した端面には緩衝パッド４７が固定的に設置され、前記緩衝パッド４７は前記保護板２９を保護するほか、滑り止め機能も付いている。
【００１９】
前記保護装置６０３は前後対称となった固定ブロック２３を含み、前記固定ブロック２３の間には保護回転軸２５が回転可能に装着され、前記保護板２９が前記保護回転軸２５に固定的に装着され、前側の前記固定ブロック２３の中には調整回転空間２４が設置され、前記保護回転軸２５は前端が前記調整回転空間２４の中に延在し、且つ前端にウォームホイール２６が固定的に設置され、前記ウォームホイール２６において対称中心に近接した端にはウォーム２７が噛み合い、前記ウォーム２７の中央にはウォーム軸２８が固定的に設置され、
前記保護板２９が回転すると、前記レフレクター３１は角度が調整され、集光度を最大にし、また、前記保護板２９は対向回転して当接することで前記ソーラーパネル２１を保護できる。
【００２０】
前記動力装置６０４は供給空間３２を含み、前記供給空間３２の左端壁には油圧シリンダー３４が装着され、前記油圧シリンダー３４の右端には伸縮軸３５が伝動可能に装着され、前記伸縮軸３５は右端が前記供給空間３２の中に延在し、前記伸縮軸３５の右端には移動ブロック３６が固定的に設置され、前記移動ブロック３６の中には駆動モータ３７が固定的に設置され、前記駆動モータ３７には駆動軸３９が伝動可能に装着され、前記駆動軸３９には駆動歯車３８が固定的に設置され、前記駆動歯車３８の左側には前記駆動歯車３８と噛み合える回転歯車３３が設置され、前記回転歯車３３は前記ウォーム軸２８の下端と固定的に連結され、前記駆動歯車３８の右側には前記駆動歯車３８と噛み合える伝動歯車４１が設置され、前記伝動歯車４１の中央には伝動軸４０が固定的に設置され、前記供給空間３２の下側には伝動空間４２が設置され、前記伝動軸４０と右側の前記ウォーム軸２８の下端とはいずれも前記伝動空間４２の中に延在し、且つ前記伝動軸４０と前記ウォーム軸２８とは伝動ベルト４３によって伝動可能に連結され、
前記駆動歯車３８と前記回転歯車３３とが噛み合うと、前記駆動モータ３７が作動し、左側の前記保護板２９の回転に動力を提供し、前記駆動歯車３８と前記伝動歯車４１とが噛み合うと、前記駆動モータ３７が作動し、右側の前記保護板２９の回転に動力を提供する。
【００２１】
以下に図１〜７を参照し、本願発明の使用手順について詳しく説明する。
【００２２】
はじめに、左右の保護板２９が縦になり、限定板４６が縦になり、引っ掛かりブロック４９と引っ掛かり溝４８とが挿入するように連結され、捻じりばね６０が弾力エネルギーを蓄積している。
【００２３】
発電時、回転モータ１７が作動し、噛合歯車１９を回転させ、固定歯車１１により噛合歯車１９が角度調整ブロック１４を回転させ、そして装着ブロック１８が連動して回転し、太陽光の照射角度に応じてソーラーパネル２１の傾斜角度を調整することでソーラーエネルギーの変換率を最大にし、ソーラーパネル２１がソーラーエネルギーを電気エネルギーに変換して蓄電池２０の中に貯蔵し、
太陽光が分散するまたは太陽光が弱い場合、油圧シリンダー３４が作動し、伸縮軸３５により移動ブロック３６が引かれて左方へ移動し、そして駆動歯車３８と回転歯車３３とが噛み合い、駆動モータ３７が作動して回転歯車３３を回転させ、ウォーム２７がウォームホイール２６を回転させ、さらに左側の保護板２９を回転させることで左側のレフレクター３１の設置角度を調整し、油圧シリンダー３４が再び作動し、伸縮軸３５により移動ブロック３６を押して右方へ移動し、そして駆動歯車３８と伝動歯車４１とが噛み合い、駆動モータ３７が作動して伝動歯車４１を回転させ、伝動ベルト４３により右側の保護板２９を回転させることで右側のレフレクター３１の設置角度を調整し、左右のレフレクター３１が互いに協働し、太陽光を屈折させてソーラーパネル２１に集めることでソーラーパネル２１の光電変換率を増加させ、
悪天候時に太陽光発電が要らないと、駆動モータ３７が作動し、まず右側の保護板２９を水平に回転させ、この時に右側の挿入板３０が収縮溝２２の中に位置し、次に左側の保護板２９が水平に回転し、この時に左側の挿入板３０が収縮溝２２の中に位置し且つ圧迫スライダ５１を押して対向移動させ、そして連結スライダ５４が右方へ移動し、連結棒５８により引っ掛かりブロック４９を右方へ移動させ、左側の挿入板３０が完全に収縮溝２２の中に位置すると、引っ掛かりブロック４９が引っ掛かり溝４８から離脱し、限定板４６が捻じりばね６０の弾性復元力によりソーラーパネル２１に向かって回転することで、保護板２９がソーラーパネル２１に密着し、ソーラーパネル２１を悪天候による損傷から保護し、
保護板２９が復帰すると、保護板２９の回転で限定板４６が押されて回転し、引っ掛かり溝４８が引っ掛かりブロック４９と相対になるとき、引っ掛かりブロック４９が引っ掛かり溝４８の中に延在することで限定板４６をロックする。
【００２４】
以上の方式により、当該分野の従業員は本願発明の範囲内で作業状況に応じて様々な改変を加えることができる。
【要約】
【課題】本発明は保護機能付きの太陽光発電装置を開示した。
【解決手段】
本願に記載の保護機能付きの太陽光発電装置は、本体を含み、前記本体が地面に固定的に装着され、前記本体の中には回転溝が形成され、前記回転溝の下端壁の中には固定歯車が固定的に設置され、前記回転溝の中には角度調整装置が回転可能に装着され、本願に記載の保護機能付きの太陽光発電装置は、太陽光の照射角度に応じてソーラーパネルの設置角度を調整できるため、ソーラーエネルギーの変換率を向上させられ、そのほか、保護板の回転でレフレクターの角度を調整して集光度を向上させることができ、且つ保護板は悪天候時にソーラーパネルを包むことでソーラーパネルを保護でき、ソーラーパネルの寿命が延ばされる。
【選択図】図１【図１】
0006807508.tif 000002
【図２】
0006807508.tif 000003
【図３】
0006807508.tif 000004
【図４】
0006807508.tif 000005
【図５】
0006807508.tif 000006
【図６】
0006807508.tif 000007
【図７】
0006807508.tif 000008